(57)【特許請求の範囲】
【請求項１】
前身頃領域と、後身頃領域と、股下領域と、を備え、
液透過性を有するトップシートと、液不透過性を有するバックシートと、前記トップシートと前記バックシートとの間に配される吸収体と、を含む積層構造を有した吸収性物品であって、
前記トップシートの領域のうち、前記股下領域に対応する領域以外の領域であって前記前身頃領域および／または前記後身頃領域に対応する領域に、バリア部材が前記トップシートの幅方向に延在して設けられ、
前記バリア部材の基端部は前記トップシートの領域に固定され、前記バリア部材の先端部の縁は自由端となっており、
前記バリア部材は、前記縁が前記股下領域を向くように方向付けられ、
前記バリア部材は、前記後身頃領域に対応するトップシートの第１の領域において長手方向に第１の間隔で複数設けられ、且つ、前記前身頃領域に対応するトップシートの第２の領域において長手方向に第２の間隔で複数設けられ、
前記第１の間隔が前記第２の間隔より小さいことを特徴とする吸収性物品。
【請求項２】
前記バリア部材の基端部には、排出された体液および／または水様便を前記トップシートの裏面側に誘導可能な開口を形成するスリット部が設けられることを特徴とする請求項１に記載の吸収性物品。
【請求項３】
前記第１の領域に設けられたバリア部材の数が前記第２の領域に設けられたバリア部材の数より多いことを特徴とする請求項１または２に記載の吸収性物品。
【請求項４】
前記バリア部材は、前記トップシートを折り畳むことで形成されることを特徴とする請求項１から請求項３のいずれか一項に記載の吸収性物品。
【請求項５】
前記バリア部材は、別体として形成されたのち、前記トップシートの表面に取り付けることで前記トップシートと一体化されることを特徴とする請求項１から請求項３のいずれか一項に記載の吸収性物品。
【発明の詳細な説明】
【技術分野】
【０００１】
本発明は、吸収性物品に関し、より詳細には、排出された体液や水様便の漏れ防止を強化するための吸収性物品に関する。
【背景技術】
【０００２】
従来、排出された尿や体液（以下、単に「体液」とも言う）を迅速に吸収体に誘導して吸収させるため、形状に改良を施した使い捨ておむつ（以下、単に「おむつ」とも言う）等の吸収性物品が知られている。
【０００３】
しかし、排出されたものが軟便や水様便（以下、単に「水様便」とも言う）、例えば、乳幼児の水様便などの半固形（ペースト）便である場合、それらの液分は吸収体に吸収可能であるが、それらの固形分は吸収体に吸収されないため、当該固形分を捕捉する手段を吸収体とは別に設ける必要がある。
【０００４】
そこで、例えば、トップシートの表面に襞を設け、その襞によって体液や水様便の液分を吸収体に誘導して吸収させ、水様便の固形分を襞の基端に設けられた開口を介して空洞部に落とし込んで捕捉する構成が、特許文献１に開示されている。
【先行技術文献】
【特許文献】
【０００５】
【特許文献１】特開２０００−３３３９９０号公報
【発明の概要】
【発明が解決しようとする課題】
【０００６】
しかしながら、特許文献１に記載の吸収性物品では、着用者の体勢が変化することで、吸収体で吸収しきなかった体液、水様便の液分や、空洞部に収容されていた水様便の固形分が、吸収性物品の内側の面を伝って外へ漏れ出るおそれがあった。特に、乳幼児の半固形便は、吸収体に吸収されないまま伝い漏れる恐れが高い。
【０００７】
本発明の目的は、うつ伏せ、仰向けなどの体勢の変化に適応しつつ、体液や水様便の伝い漏れ防止の強化を図ることが出来る吸収性物品を提供することにある。
【課題を解決するための手段】
【０００８】
本発明による吸収性物品は、前身頃領域と、後身頃領域と、股下領域と、を備え、液透過性を有するトップシートと、液不透過性を有するバックシートと、トップシートとバックシートとの間に配される吸収体と、を含む積層構造を有した吸収性物品であって、トップシートの領域のうち、股下領域に対応する領域以外の領域であって前身頃領域および／または後身頃領域に対応するトップシートの領域に、バリア部材がトップシートの幅方向に延在して設けられ、バリア部材の基端部はトップシートの領域に固定され、バリア部材の先端部の縁は自由端となっており、バリア部材は、縁が股下領域を向くように方向付けられることを特徴とするものである。
【発明の効果】
【０００９】
本発明によれば、股下領域に向かうように設けられた襞により、体液や水様便を堰き止めることが可能となるため、体液や水様便の伝い漏れの防止の強化を図ることが可能となる。
【図面の簡単な説明】
【００１０】
【図１】本発明の第１の実施形態に係るおむつの一例の外観において、正面側から見た斜視図である。
【図２】図１に示したおむつを着用した下半身を背中側から見た立体投影図である。
【図３】図１に示したおむつの分解斜視図である。
【図４】本発明の第１の実施形態に係るおむつのサイドシート、トップシート、および吸収体の積層構造をトップシート側から見た上面図であり、（ａ）は、前身頃側および後身頃側に襞部が設けられた状態を示し、（ｂ）は、後身頃側のみに襞部が設けられた状態を示し、（ｃ）は、前身頃側のみに襞部が設けられた状態を示す。
【図５】図４（ａ）に示す構造体のＶ−Ｖ矢視断面図である。
【図６】図４（ａ）に示す構造体のＶＩ−ＶＩ矢視断面図である。
【図７】本発明の第２の実施形態に係るおむつのサイドシート、トップシート、および吸収体の積層構造をトップシート側から見た上面図である。
【図８】図７に示す構造体のＶＩＩＩ−ＶＩＩＩ矢視断面図である。
【図９】本発明の第３の実施形態に係るおむつのサイドシート、トップシート、および吸収体の積層構造をトップシート側から見た上面図である。
【図１０】図９に示す構造体のＸ−Ｘ矢視断面図である。
【図１１】図９に示す構造体のＸＩ−ＸＩ矢視断面図である。
【図１２】本発明の第３の実施形態の変形例に係る、様々な形状の襞シートを取り付けたトップシートの模式的な平面図であり、（ａ）は、くの字状に形成された襞シートの一例であり、（ｂ）は、ジグザグ状に形成された襞シートの一例であり、（ｃ）は、円弧状に形成された襞シートの一例である。
【発明を実施するための形態】
【００１１】
以下、図面を参照しながら本発明を実施するための形態を詳細に説明する。
【００１２】
本発明の実施形態に係る吸収性物品では、体液や水様便を吸収体側に誘導するための襞の縁が股下領域に向かうように、当該襞を前身頃側および／または後身頃側のトップシートの表面に設ける一方、股下側のトップシートの表面には襞を設けない構成にする。この構成によって、体液や水様便を股下領域において拡散させ、広い範囲において吸収体で吸収させて吸収効率を高める一方、吸収体で吸収し切れなかったものは、前身頃側および／または後身頃側に設けられた襞によって堰き止めることを可能にする。したがって、本発明の実施形態に係る吸収性物品は、体液や水様便がおむつの内側から伝い漏れることを抑制することが可能となるものである。
【００１３】
先ず、本発明を展開型使い捨ておむつに応用した第１の実施形態を以下に説明する。
【００１４】
＜第１の実施形態＞  
図１に本発明の第１の実施形態に係るおむつの一例の外観において、正面側から見た斜視図を示す。本実施形態におけるおむつ１０は、展開型使い捨ておむつであり、前身頃領域１０Ｆと、後身頃領域１０Ｒと、これら前身頃領域１０Ｆおよび後身頃領域１０Ｒをつなぐ股下領域１０Ｃとを有する。また、着用時に前身頃領域１０Ｆと後身頃領域１０Ｒとで着用者のウエストの部分を取り囲むウエスト周り開口部１０Ｗが形成されている。同様に、前身頃領域１０Ｆおよび後身頃領域１０Ｒの下端部股下領域１０Ｃとで着用者の両脚の太股部分を取り囲む左右一対の脚周り開口部１０Ｌが形成されている。
【００１５】
図２に、図１に示す展開型使い捨ておむつを背面側から見た斜視図を示す。図２は、この展開型使い捨ておむつを乳幼児が着用した際の背中側から見た下半身姿を示すものである。図２に示すように、着用時に前身頃領域１０Ｆは、着用者の腹側に位置し、後身頃領域１０Ｒは着用者の背側に位置する。そして、股下領域１０Ｃは、着用者の股下を覆い、左右一対の脚周り開口部１０Ｌに、着用者の脚がそれぞれ通された形となる。したがって、脚周り開口部１０Ｌは、着用者の両脚の付け根から太ももあたりのいずれかに位置することとなる。
【００１６】
仮想線Ｐは、おむつ中央部において腹側から背側に向かって、股下部分を通って延びるものである。具体的には、仮想線Ｐは、例えば、おむつのウエスト側を上、股下側を下として定義すると、おむつ表面に沿って、かつ上下方向に延びると共に、股下部分を経由して、背側においても上下方向に延びるものである。
【００１７】
おむつ１０の外側に位置するカバーシート１１の後身頃領域１０Ｒの左右両端縁部には、着用時に前身頃領域１０Ｆの左右両端縁部に重ね合わせてこれらをつなぎ、脚周り開口部１０Ｌを形成し得る左右一対のファスニングテープ１０Ａが接合されている。このファスニングテープ１０Ａは、前身頃領域１０Ｆのカバーシート１１上に接合されたフロントパッチシート１０Ｂに対して繰り返し剥離可能に接合される。また、後身頃領域１０Ｒの上端部に対応する領域には、カバーシート１１の幅方向に沿って延在し、着用者に対してウエスト周りに適度な着用感を与えるための弾性シート１０Ｄが設けられている。尚、図２におけるおむつを着用した下半身姿は、立っている状態を示しているが、本実施形態は、立って歩行する場合のみを対象とするものではなく、寝返りや乳児のハイハイなど脚の前後運動全般や、うつ伏せ、仰向けなどのさまざまな体勢の変化に対して、作用効果を発揮するものである。
【００１８】
図３に、図１に示す展開型使い捨ておむつを分解状態で表す斜視図を示す。図３に示すように、本実施形態におけるおむつ１０は、外側から順に、良好な手触りを得るために薄い不織布にて形成されるカバーシート１１と、液不透過性を有するバックシート（裏面シート）１２と、吸収体１３と、バリア部材である襞を含む襞部１９Ａ、１９Ｂが設けられた液透過性を有するトップシート（表面シート）１４と、立体ギャザーを形成するためのサイドシート１５とを順に重ねて接合した積層構造を有しているものである。図３の吸収体１３については、説明の便宜上、部分的に破断した状態を示している。カバーシート１１の股下領域１０Ｃの左右両側には、それぞれ脚周り開口部１０Ｌとなる半円弧状をなす一対の切欠き部１１Ａが形成されている。また、サイドシート１５の股下領域１０Ｃの左右両側にも、カバーシート１１と同様に、それぞれ半円弧状をなす一対の切欠き部１５Ａが形成されている。バックシート１２は、カバーシート１１に接合され、先の吸収体１３は、このバックシート１２とトップシート１４との間に配され、この吸収体１３を介してトップシート１４がバックシート１２に接合される。また、バックシート１２のうち、後身頃領域１０Ｒの上端部に対応する領域には、弾性シート１０Ｄが接合されている。カバーシート１１とサイドシート１５との間には、脚周りギャザーを形成するための糸ゴム１６がそれぞれ伸長状態で接合されている。トップシート１４に設けられる襞部１９Ａ、１９Ｂは、体液や水様便を堰き止めるバリアとして機能する。
【００１９】
トップシート１４の下に位置する本実施形態の吸収体１３は、主にパルプと高吸水性樹脂（Ｓｕｐｅｒ  Ａｂｓｏｒｂｅｎｔ  Ｐｏｌｙｍｅｒ、以下「ＳＡＰ」とも言う）とからなる吸収性本体１７を、ティシュや不織布等で構成されるコアラップなどの被覆部材１８によって包んだものである。吸収性本体１７を被覆部材１８により包むことで形成される継ぎ目は、例えば、図３に示すように、吸収体１３の上面であって長手方向に延在するように形成される。本実施形態の吸収体１３は、前身頃、股下、後身頃に亘るように、細長い形状をしており、前身頃部分、股下部分、後身頃部分に三区分されている。ここで、前身頃部分から後身頃部分を前後（上下）方向とし、それに直交する方向を左右方向とすると、本実施形態の吸収体１３は、前後（上下）左右の長さが異なる矩形のものである（図３では、前後（上下）の長さが左右の長さより長くなっている）。なお、本実施形態の吸収体１３の形状はこれに限らず、例えば、前後（上下）左右の長さが同程度の略正方形のもの、切欠き部が両側部に設けられ中央部の幅が前後端に比べて狭い砂時計型のもの、前後（上下）端の角が丸く落とされているもの、前後（上下）に延びる楕円形のもの、円形のものなど、さまざまな形状を含む。また、吸収体１３の股下部分には、両脚の太股部分を取り囲む左右一対の脚周り開口部１０Ｌに合わせて、円弧状をなす一対の切欠き部が形成されても良い。本実施形態の吸収体１３の表面には、液拡散機能を付与させるため、エンボス等の凹凸部を設けても良い。
【００２０】
本実施形態における液透過性のトップシート１４の表面には、体液や水様便を堰き止めるため、襞部１９Ａ、１９Ｂが設けられる。襞部１９Ａ、１９Ｂは、トップシート１４の領域のうち、股下領域１０Ｃに対応する領域以外の領域であって前身頃領域１０Ｆおよび／または後身頃領域１０Ｒに対応する領域に、トップシート１４の幅方向に延在して設けられる。具体的には、おむつ１０の後身頃領域１０Ｒに対応するトップシート１４の領域（第１の領域）に襞部１９Ａを設け、前身頃領域１０Ｆに対応するトップシート１４の領域（第２の領域）に襞部１９Ｂを設ける。襞部１９Ａ、１９Ｂのそれぞれの襞の基端部はトップシート１４の表面に固定され、当該それぞれの襞の先端部の縁は自由端となっている。また、襞部１９Ａ、１９Ｂは、その縁が股下領域１０Ｃを向くように方向付けられる。
【００２１】
本実施形態では、股下領域１０Ｃにおける液拡散のため、おむつ１０の股下領域１０Ｃに対応するトップシート１４の表面には襞部を設けないような構成となっている。体液をトップシート１４の表面において広く拡散させると、その分吸収体１３が吸収する領域が広がり、体液を迅速に且つ多量に吸収体１３に吸収させることが可能となる。
【００２２】
本実施形態では、このように股下領域１０Ｃにおいては体液を拡散させ、吸収体１３に広い領域での吸収を促す一方で、吸収し切れなかった体液を襞部１９Ａ、１９Ｂによって堰き止めて直下の吸収体１３に吸収させることで、効率よく体液を吸収体１３に吸収させつつ、おむつ１０の外に体液が漏れ出ることを抑制することが可能となる。すなわち、吸収し切れなかった体液は、襞部１９Ａ、１９Ｂによって堰き止められて、襞の股下領域１０Ｃ側に位置する面と、トップシート１４の表面との間隙によって生じる毛管力により、吸収体１３に誘導される。体液が吸収体１３に至ると、吸収体１３は一般に強い毛管力を有しているため、体液の誘導が促進され、体液の漏れ防止を強化することができる。
【００２３】
水様便については、体液の場合と同様に、股下領域１０Ｃにおいて拡散させ、吸収し切れなかったものは、襞部１９Ａ、１９Ｂによって堰き止めることが可能となっている。堰き止められた水様便は、襞部１９Ａ、１９Ｂの基端部の方に誘導され、その液分は吸収体１３によって吸収される一方、その固形分は流動性を失いその場にとどまることになる。よって、水様便の固形分については、襞部１９Ａ、１９Ｂの折り畳まれた部分のうち股下領域１０Ｃに位置する面と、トップシート１４の表面とで挟んで捕捉することが可能となる。したがって、水様便についても、体液と同様に、おむつ１０の外に漏れ出ることを抑制することが可能となる。そして、捕捉された水様便の固形分が襞部１９Ａ、１９Ｂによって覆われることになるので、水様便の固形分が着用者の肌に直接触れる機会を減少させ、着用感を向上させたり、かぶれを生じ難くしたりすることが可能となる。
【００２４】
襞部１９Ａ、１９Ｂは起立可能としてもよく、襞部１９Ａ、１９Ｂをその縁が股下領域１０Ｃに向かうように傾斜させることで、トップシート１４の表面との間に空間を形成し、当該空間に水様便の固形分をさらに捕捉し易くすることが可能となる。この空間の形成は、例えば、襞部１９Ａ、１９Ｂの両端をサイドシート１５に固着させることで実現可能である。
【００２５】
トップシート１４の左右両側縁部には、液不透過性のサイドシート１５が接合され、左右のサイドシート１５の内側端縁部には、立体ギャザーを形成するための糸ゴム２０が伸張状態で接合されている。尚、股下領域１０Ｃに対応するトップシート１４の表面には、液拡散機能を付与させるため、エンボス等の凹凸部を設けても良い。
【００２６】
図４は、本発明の第１の実施形態に係る、おむつ１０のサイドシート１５、トップシート、および吸収体１３の積層構造をトップシート側から見た上面図であり、図４（ａ）は、前身頃側および後身頃側に襞部が設けられた状態を示し、図４（ｂ）は、後身頃側のみに襞部が設けられた状態を示し、図４（ｃ）は、前身頃側のみに襞部が設けられた状態を示す。説明の簡略化のため、図４（ａ）〜（ｃ）に示された構造体は、バックシート１２、吸収体１３、トップシート、およびサイドシート１５の４体で構成されたものとする。吸収体１３については図中破線で示される。
【００２７】
図４（ａ）に示すように、後身頃側の襞部１９Ａの複数（図示の例では４つ）の襞は、トップシート１４の長手方向に間隔（第１の間隔）がＬ１となるように設けられ、前身頃側の襞部１９Ｂの３つの襞は、同じくトップシート１４の長手方向に間隔（第２の間隔）がＬ２となるように設けられる。本実施形態では、間隔Ｌ１は間隔Ｌ２より小さく、襞部１９Ａの襞の数は襞部１９Ｂの襞の数よりも多くなっている。尚、本実施形態では、襞が形成される間隔は等間隔であるが、体液や水様便の漏れ防止を強化するという本発明の目的に適うものであれば、襞は等間隔に設けなくてもよい。
【００２８】
本実施形態では、股下領域において吸収し切れなかった体液や水様便の液分を、襞部１９Ａ、１９Ｂの複数の襞によって段階的に堰き止めて直下の吸収体に吸収させ、水様便の固形分を襞部１９Ａ、１９Ｂの基端部側に誘導させ捕捉させる構成になっている。この構成により、おむつ１０の腹側および／または背側から体液や水様便が漏れ出ることを抑制している。
【００２９】
一般に、着用者である人の背は腹よりも平面的であるため、おむつとの隙間が出来易く、その隙間から吸収体１３に吸収し切れなかった体液や水様便が漏れ出る可能性がある。そこで、本実施形態では、トップシート１４の後身頃側に前身頃側よりも襞を密に設けることによって、背側からの体液や水様便の漏れ防止を強化している。
【００３０】
本実施形態の変形例として、図４（ｂ）に示すトップシート１４Ａのように後身頃側のみに襞部を設ける構成としたり、図４（ｃ）に示すトップシート１４Ｂのように前身頃側のみに襞部を設ける構成としたりしてもよい。すなわち、体液や水様便の漏れ防止を強化するという所期の目的が達成できるのであれば、襞部は後身頃側および前身頃側のいずれか一方に設けられるものでもよい。
【００３１】
図５に、図４（ａ）に示す構造体のＶ−Ｖ矢視断面図を示し、図６に、図４（ａ）に示す構造体のＶＩ−ＶＩ矢視断面図を示す。図５に示すように、襞部１９Ａ、１９Ｂは、トップシート１４を折り畳むことでそれぞれ形成されていることがわかる。尚、図６に示す被覆部材１６については、説明の便宜上、継ぎ目を省略している。
【００３２】
本実施形態では、襞部１９Ａ、１９Ｂは、それらの縁が股下領域１０Ｃを向くようにそれぞれ方向付けられる。尚、襞部１９Ａ、１９Ｂの折り畳まれた部分のうち股下領域１０Ｃに位置する面と、トップシート１４の表面とが接しても良い。この場合、接している状態を維持するために、必要であれば、襞部１９Ａ、１９Ｂの股下領域１０Ｃに位置する面と、トップシート１４の表面とを部分的に接合しても良い。また、襞部を寝かせるように、襞部をトップシート１４の表面に接してトップシート１４に設けることは、襞が着用者に接触しにくくなり、着用者に与える不快感を抑えるという効果も実現できる。
【００３３】
＜第２の実施形態＞  
本発明の第２の実施形態では、第１の実施形態と異なり、襞部の基端部に、排出された体液および／または水様便をトップシートの裏面側に誘導可能な開口を形成するスリット部を設ける。この構成により、第１の実施形態よりも、体液や水様便の漏れ防止を強化することが可能となる。
【００３４】
図７は、本発明の第２の実施形態に係る、おむつ１０のサイドシート１５、トップシート１４Ｃ、および吸収体１３の積層構造をトップシート１４Ｃ側から見た上面図である。説明の簡略化のため、図７に示された構造体は、バックシート１２、吸収体１３、トップシート１４Ｃ、およびサイドシート１５の４体で構成されたものとする。吸収体１３については図中破線で示される。図７に示された構造体を構成する各要素のうち、同様の機能を有するものについては、第１の実施形態と同一の符号を付してその説明を省略する。
【００３５】
図７に示すように、第１の実施形態と同様に、後身頃側の襞部２１Ａの襞は４つ設けられ、前身頃側の襞部２１Ｂの襞は３つ設けられる。また、図４（ａ）に示す構造体と同様に、襞部２１Ａが設けられる間隔Ｌ１は襞部２１Ｂが設けられる間隔Ｌ２より小さく、襞部２１Ａの襞の数は襞部２１Ｂの襞の数より多くなっている。これにより、背側からの体液や水様便の漏れ防止を強化している。
【００３６】
本実施形態では、襞部２１Ａ、２１Ｂの基端部に、排出された体液や水様便をトップシート１４Ｃの裏面側に誘導可能な開口を形成するスリット部２２（図８を参照）をそれぞれ設ける。本実施形態では、スリット部２２は、トップシート１４Ｃの表面（肌に近い面）側からトップシート１４Ｃの裏面側に貫通するように切れ込みを入れることで形成される。また、本実施形態では、スリット部２２は、トップシート１４Ｃの領域のうち、吸収体１３に対応する領域であって、トップシート１４の幅方向に延在して設けられる。尚、スリット部２２の形状は、上述したものに限られず、排出された体液や水様便を吸収体１３側に落とし込むという目的が実現できれば、適宜変更が可能である。
【００３７】
本実施形態では、第１の実施形態と同様に、股下領域１０Ｃにおいて吸収し切れなかった体液や水様便を、襞部２１Ａ、２１Ｂの複数の襞によって段階的に堰き止める。そして、堰き止めた体液や水様便を、スリット部２２により形成された開口に落とし込み、トップシート１４Ｃの裏面側に誘導させ、体液や水様便の液分については吸収体１３に吸収させ、水様便の固形分についてはトップシート１４Ｃと吸収体１３との間に収容（捕捉）させる構成になっている。この構成により、おむつ１０の腹側および／または背側から体液や水様便が漏れ出ることを抑制している。また、本実施形態では、第１の実施形態と同様に、トップシート１４の後身頃側に前身頃側よりも襞を密に設けることによって、背側からの体液や水様便の漏れ防止を強化している。
【００３８】
図８に、図７に示す構造体のＶＩＩＩ−ＶＩＩＩ矢視断面図を示す。図８に示すように、襞部２１Ａ、２１Ｂは、トップシート１４Ｃを折り畳むことでそれぞれ形成されていることがわかる。本実施形態では、第１の実施形態と同様に、襞部２１Ａ、２１Ｂは、それらの縁が股下領域１０Ｃを向くようにそれぞれ方向付けられる。また、本実施形態では、図８に示すように、体液や水様便をトップシート１４Ｃの裏面側に誘導させるためのスリット部２２が、襞部２１Ａ、２１Ｂの基端部付近に設けられていることがわかる。
【００３９】
本実施形態によれば、第１の実施形態より、体液や水様便がおむつの内側から伝い漏れることを抑制することが可能となる。
【００４０】
＜第３の実施形態＞  
本発明の第２の実施形態では、襞部の構造を第１の実施形態と異ならせ、襞部を別体として形成したのち、トップシートの表面に取り付けることで、襞部をトップシートと一体にさせる。
【００４１】
図９は、本発明の第３の実施形態に係るおむつ１０のサイドシート１５、トップシート１４Ｄ、および吸収体１３の積層構造を、トップシート１４Ｄ側から見た上面図であり、前身頃側および後身頃側に襞部が設けられた状態を示す。説明の簡略化のため、図９に示された構造体は、バックシート１２、吸収体１３、トップシート１４Ｄ、襞シート、およびサイドシート１５の５体で構成されたものとする。吸収体１３については図中破線で示される。図９に示された構造体を構成する各要素のうち、同様の機能を有するものについては、第１の実施形態と同一の符号を付してその説明を省略する。
【００４２】
図９に示すように、後身頃側の襞部２３Ａの襞は襞シートによって４つ設けられ、前身頃側の襞部２３Ｂの襞は同じく襞シートによって３つ設けられる。また、図４（ａ）に示す構造体と同様に、襞部２３Ａが設けられる間隔Ｌ１は襞部２３Ｂが設けられる間隔Ｌ２より小さく、襞部２３Ａの襞の数は襞部２３Ｂの襞の数より多くなっている。これにより、背側からの体液や水様便の漏れ防止を強化している。襞シートは、トップシート１４Ｄと同様の材質で構成されていても良い。
【００４３】
図１０に、図９に示す構造体のＸ−Ｘ矢視断面図を示し、図１１に、図９に示す構造体のＸＩ−ＸＩ矢視断面図を示す。尚、図１１に示す被覆部材１６については、説明の便宜上、継ぎ目を省略している。図１０に示すように、襞部２３Ａ、２３Ｂの各襞は、個別の襞シートで形成され、基端部がトップシート１４Ｄの表面に貼着されることでトップシート１４Ｄと一体化されている。
【００４４】
本実施形態では、襞シートを別途作成してトップシートに取り付けた構成であるため、例えば用途に合わせて襞シートの形状を適宜変更することが可能である。
【００４５】
図１２に本発明の第３の実施形態の変形例に係る、様々な形状の襞シートを取り付けたトップシートの模式的な平面図を示す。図１２（ａ）に、くの字状に形成される襞シートによって襞部２４Ａ、２４Ｂが設けられたトップシート、図１２（ｂ）に、ジグザグ字状に形成される襞シートによって襞部２５Ａ、２５Ｂが設けられたトップシート、図１２（ｃ）に、円弧状に形成される襞シートによって襞部２６Ａ、２６Ｂが設けられたトップシートをそれぞれ示す。
【００４６】
本実施形態では、図１２（ａ）、（ｂ）、（ｃ）に示すような様々な形状の襞シートを作成してトップシート１４Ｄに取り付け、トップシート１４Ｄの襞部として機能させることが可能である。
【００４７】
尚、本実施形態では、各襞シートをトップシートに直接取り付けているが、トップシートの表面積以下の面積を有するシートに襞部を予め設けたものを、トップシートに取り付けてもよい。例えば、第１の実施形態および第２の実施形態で説明したような、襞部を設けたシートを用意し、これを平坦なトップシートに取り付けた構造とすることもできる。
【００４８】
以上のように、本実施形態によれば、第１の実施形態と同様の効果が得られることに加え、襞シートを別途作成してトップシートに取り付けた構成とすることで、用途等に応じて襞部の設計の自由度を増すことが可能となる。
【００４９】
＜その他＞  
本発明は、上述した第１から第３の実施形態や、随所に述べた変形例に限られることなく、本発明の技術的思想から逸脱しない範囲で、適宜の変更や変形が可能である。
【００５０】
例えば、上記各実施形態またはその変形例に係るおむつの構造は、上述したような展開型に限定されるわけではなく、特許請求の範囲に規定された吸収性物品の構成を含むおむつでありさえすれば、どのような構成であってもよい。例えば、パンツ型の使い捨ておむつや、尿漏れパッドなどであっても本発明を適用可能である。
【００５１】
加えて、上記各実施形態またはその変形例は、乳幼児向けのおむつに限らず、成人向けのおむつ、尿漏れパッドなど、各種吸収性物品に適用可能である。
【００５２】
また、上記各実施形態またはその変形例では、襞部がトップシートの幅方向全域に亘って設けられているが、トップシートの幅方向に部分的に設けられてもよい。
【００５３】
さらに、前身頃領域および／または後身頃領域に設けられる襞の数や大きさ、形状についても、体液や水様便の漏れ防止を強化するという本発明の目的に適うものであれば、適宜定め得るものである。
【００５４】
上記第３の実施形態において、襞シートの基端付近に、第２の実施形態で説明したようなスリット部を設けても良い。これにより、第３の実施形態よりも、体液や水様便の伝い漏れ防止の強化を図ることが可能となる。
【符号の説明】
【００５５】
１０  おむつ
１０Ａ  ファスニングテープ
１０Ｂ  フロントパッチシート
１０Ｆ  前身頃領域
１０Ｒ  後身頃領域
１０Ｃ  股下領域
１０Ｗ  ウエスト周り開口部
１０Ｌ  脚周り開口部
１１  カバーシート
１１Ａ  切欠き部
１２  バックシート
１３  吸収体
１４、１４Ａ、１４Ｂ、１４Ｃ、１４Ｄ  トップシート
１５  サイドシート
１５Ａ  切欠き部
１６、２０  糸ゴム
１７  吸収性本体
１８  コアラップ
１９Ａ、１９Ｂ、２１Ａ、２１Ｂ、２３Ａ、２３Ｂ、２４Ａ、２４Ｂ、２５Ａ、２５Ｂ、２６Ａ、２６Ｂ  襞部
２２  スリット部
【図１】
0006447408.tif 000002
【図２】
0006447408.tif 000003
【図３】
0006447408.tif 000004
【図４】
0006447408.tif 000005
【図５】
0006447408.tif 000006
【図６】
0006447408.tif 000007
【図７】
0006447408.tif 000008
【図８】
0006447408.tif 000009
【図９】
0006447408.tif 000010
【図１０】
0006447408.tif 000011
【図１１】
0006447408.tif 000012
【図１２】
0006447408.tif 000013